(57)【要約】【課題】金属磁性体の固定接触子への取り付けを作業性よく行なうことができる配線用遮断器を提供する。【解決手段】可動接点２を備えた可動接触子１と、固定接点３を備えた固定接触子４と、複数の消弧板９が配設された消弧装置８と、可動接点２と固定接点３との隔離の際に発生するアークを引き寄せる金属磁性体１１とを備えた配線用遮断器である。本発明では、金属磁性体１１を保持部材１２に保持させ、消弧装置８と固定接触子２との間に配置する。保持部材１２は例えば消弧装置８により位置規制される。【選択図】図２
2016201171.tif 000002
【特許請求の範囲】
【請求項１】
可動接点を備えた可動接触子と、
固定接点を備えた固定接触子と、
複数の消弧板が配設された消弧装置と、
可動接点と固定接点との隔離の際に発生するアークを引き寄せる磁性体とを備えた配線用遮断器において、
磁性体を保持する保持部材を、
消弧装置と固定接触子との間に配置したことを特徴とする配線用遮断器。
【請求項２】
保持部材を筐体により位置規制したことを特徴とする請求項１記載の配線用遮断器。
【請求項３】
保持部材を消弧装置により位置規制したことを特徴とする請求項１記載の配線用遮断器。
【請求項４】
保持部材は絶縁部材からなり、前記磁性体を固定接触子と非接触状態で保持することを特徴とする請求項１記載の配線用遮断器。
【請求項５】
固定接触子は一端に固定接点、他端に外部接続部、固定接点と外部接続部との間に段差を形成する立上り部を備え、
保持部材は消弧板と立上り部との間に延びる延長片を備えたことを特徴とする請求項１記載の配線用遮断器。
【請求項６】
保持部材は磁性体の上方に位置する隔壁を備えたことを特徴とする請求項１記載の配線用遮断器。
【請求項７】
保持部材は磁性体を挿入して取付ける挿入部を備えたことを特徴とする請求項１記載の配線用遮断器。
【請求項８】
アーク性ガスを排気し、筐体内への異物進入を防止する異物進入防止部材を、保持部材と一体に形成したことを特徴とする請求項１記載の配線用遮断器。
【請求項９】
保持部材に爪部を形成し、該爪部を固定接触子に係止させた請求項１記載の配線用遮断器。
【発明の詳細な説明】
【技術分野】
【０００１】
本発明は、消弧装置を備えた配線用遮断器に関するものである。
【背景技術】
【０００２】
配線用遮断器は、可動接点を備えた可動接触子と、固定接点を備えた固定接触子とを備えたものであり、可動接点が固定接点から隔離する際に両接点間に発生するアークを消弧するために、消弧装置が配置されている。また発生したアークを接点から引き離し速やかに消弧装置に導くために、強磁性体である鉄などにより構成される金属磁性体が配置されている。この金属磁性体は、特許文献１に示されるように、ねじ止めやかしめ等の方法で固定接触子に取付けられていた。
【０００３】
しかし金属磁性体を固定接触子に固定する作業の作業性が悪く、組立工数が増加するという問題があった。
【先行技術文献】
【特許文献】
【０００４】
【特許文献１】実開昭６１−５１６４８号公報
【発明の概要】
【発明が解決しようとする課題】
【０００５】
従って本発明の目的は上記した従来の問題点を解決し、金属磁性体の固定接触子への取り付けを作業性よく行なうことができる配線用遮断器を提供することである。
【課題を解決するための手段】
【０００６】
上記の課題を解決するためになされた本発明は、可動接点を備えた可動接触子と、固定接点を備えた固定接触子と、複数の消弧板が配設された消弧装置と、可動接点と固定接点との隔離の際に発生するアークを引き寄せる磁性体とを備えた配線用遮断器において、磁性体を保持する保持部材を、消弧装置と固定接触子との間に配置したことを特徴とするものである。
【０００７】
なお請求項２のように、保持部材を筐体により位置規制することができ、請求項３のように保持部材を消弧装置により位置規制することができる。また請求項４のように、保持部材は絶縁部材からなり、前記磁性体を固定接触子と非接触状態で保持するものとすることができる。また請求項５のように、固定接触子は一端に固定接点、他端に外部接続部、固定接点と外部接続部との間に段差を形成する立上り部を備え、保持部材は消弧板と立上り部との間に延びる延長片を備えた構造とすることができる。
【０００８】
また請求項６のように、保持部材は磁性体の上方に位置する隔壁を備えたものとすることができる。また請求項７のように、保持部材は磁性体を挿入して取付ける挿入部を備えたものとすることができ、請求項８のように、アーク性ガスを排気し、筐体内への異物進入を防止する異物進入防止部材を、保持部材と一体に形成することができる。さらに請求項９のように、保持部材に爪部を形成し、該爪部を固定接触子に係止させることもできる。
【発明の効果】
【０００９】
本発明においては、磁性体を保持する保持部材を消弧装置と固定接触子との間に配置した。これによって磁性体の固定作業を行なうことなく、磁性体を固定接触子の近傍に固定することができる。具体的には、保持部材を筐体により位置規制する構造、保持部材を消弧装置により位置規制する構造、保持部材を固定接触子により位置規制する構造等を採用することができる。
【００１０】
このように、絶縁部材からなる保持部材によって磁性体を固定接触子と非接触状態で保持することができるので、磁性体が固定接触子と同電位とならず、アークを磁性体に引き付けて長く引き伸ばすことができる。これにより消弧能力を高めることができる。
【００１１】
保持部材を消弧板と立上り部との間に延びる延長片を備えたものとしておけば、アークが立上り部から転流することを防止することができる。
【００１２】
保持部材を磁性体の上方に位置する隔壁を備えたものとしておけば、アークの拡がりを抑えて効率よく消弧装置に誘導することができる。また隔壁をアークの経路に近接させることによって、アーク熱によって消弧性ガスを発生させ易くすることができる。
【００１３】
保持部材を磁性体を挿入して取付ける挿入部を備えたものとしておけば、磁性体を保持部材に容易に取り付けることができる。
【００１４】
アーク性ガスを排気し、筐体内への異物進入を防止する異物進入防止部材を保持部材と一体に形成しておけば、部品点数の削減と組立工数の削減が可能となるのみならず、組み付け完了状態において異物進入防止部材を外部から確認できるので、磁性体及び保持部材の組み付け忘れを防止することができる。
【図面の簡単な説明】
【００１５】
【図１】第１の実施形態の要部を示す断面図である。
【図２】第１の実施形態の要部を示す斜視図である。
【図３】保持部材の上方斜視図である。
【図４】保持部材の下方斜視図である。
【図５】組付け途中の状態を示す斜視図である。
【図６】他の実施形態における保持部材を示す斜視図である。
【図７】第２の実施形態の要部を示す斜視図である。
【図８】第２の実施形態の保持部材の正面図である。
【図９】第３の実施形態の要部断面図である。
【発明を実施するための形態】
【００１６】
以下に本発明の実施形態を説明する。
図１は第１の実施形態の要部を示す断面図であり、１は配線用遮断器の筐体、２はその下部に配置された固定接触子である。固定接触子２の一端には固定接点３が設けられており、固定接触子２の他端は外部接続部４となっている。固定接点３と外部接続部４との間に段差を形成するほぼ垂直な立上り部５が形成されている。
【００１７】
図１に示される６は可動接触子であり、その先端には可動接点７が設けられている。可動接触子６は図示されない公知の開閉機構部に接続されており、通電状態では可動接点７が固定接点３に圧接される位置にあるが、過電流などを検出したときには上方に駆動されて可動接点７を固定接点３から隔離し、回路を遮断する。このとき図１に示すように、可動接点７と固定接点３との間にアークが発生する。
【００１８】
発生したアークを消弧するために、固定接触子２の上方位置には消弧装置８が配置されている。消弧装置８は多数の金属製の消弧板９を左右の側板１０に取付けたものである。可動接触子６と干渉しないように消弧板９はＶ字形状となっている。発生したアークは電磁力により消弧板９に引き寄せられ、消弧板９で分断されて消滅する。
【００１９】
発生したアークを固定接点３から引き離し速やかに消弧装置８に導くために、固定接点３と消弧装置８との間に、金属磁性体１１が設けられている。本発明では、金属磁性体１１は、図３、図４に示されるように絶縁材料からなる保持部材１２内に着脱自在に保持されている。なお保持部材１２の材質は、アーク熱により熱分解されると消弧性ガスを発生する樹脂材料としておくことが好ましい。
【００２０】
保持部材１２は、両側と後部に隔壁１３を備えた水平断面がコ字状のものである。図４に示されるように、底部の後方には金属磁性体１１の挿入部１４と保持部１５が形成され、平板状の金属磁性体１１が傾斜状態で挿入保持されている。この構造によって、金属磁性体１１の形状を単純化することができ、従来よりも製作コストを低減させることができる。また保持部材１２の隔壁１３は、金属磁性体１１の上方に位置することとなる。
【００２１】
保持部材１２の底部の前方には、固定接点３を挿通可能な挿通穴１６が形成されている。左右の隔壁１３の両側には横方向に延びる突片１７が形成され、後部の隔壁１３のさらに後方には斜めに延びる延長片１８が形成されている。また隔壁１３のない前部には下方に垂下する突部１９が形成され、固定接触子２の端部との係合面２０となっている。突片１７の端部は筺体１の内壁部に当接するように構成されている。
【００２２】
組付けに際しては、保持部材１２に金属磁性体１１を保持させたうえ、図５のように挿通穴１６に固定接点３が嵌まり込むように固定接触子２の上方から保持部材１２を落とし込む。次にその上方から消弧装置８を載せる。消弧装置８の側板１０は保持部材１２の左右の隔壁１３の外側に位置し、消弧装置８の側板１０の下面が突片１７に当接する。この状態で、保持部材１２は消弧装置８に押圧され、金属磁性体１１を保持する保持部材１２が消弧装置８と固定接触子２との間に配置される。
【００２３】
消弧装置８の背面側には、異物進入防止部材２１が取付けられる。異物進入防止部材２１はアーク性ガスを排気するための多数のスリット２２を形成した平板であり、筐体１内への異物進入を防止する役割を持つ。その後に筐体１のカバー２３を取付ければ、消弧装置８の上面と異物進入防止部材２１の上面はカバー２３によって押圧され、同時に保持部材１２も消弧装置８の下面により下方に押圧され、上下方向及び水平方向に位置規制された状態で固定される。なお、異物進入防止部材２１は消弧装置８よりも前に取付けることもできる。
【００２４】
このように、本発明の配線用遮断器は従来のような固定作業を要することなく、金属磁性体１１を固定接点３と消弧装置８との間に位置規制しつつ固定することができる。従来はねじ止めやかしめ固定のための加工を行っていたため、形状の複雑化を招いていたが、本発明では金属磁性体１１を平板等の単純形状とすることができる。
【００２５】
図２に示す組付け完了状態においては、金属磁性体１１は固定接触子２から浮き上がった非接触状態に保持される。従って金属磁性体１１は固定接触子２と同電位になることはなく、アークを金属磁性体１１に引き寄せて長く引き伸ばす効果が高まり、消弧能力が向上する。なお、金属磁性体１１と固定接触子２とが同電位となると、金属磁性体１１からもアークが発生するため、固定接点３の損耗を防止する効果はあるものの、アークを引き伸ばす効果は得られない。
【００２６】
上記した実施形態では、金属磁性体１１の周囲に断面コ字状の隔壁１３が形成されている。このためアークの拡がりを抑え、アークを効率よく消弧装置８に導くことができる。また隔壁１３をアークと近接させることにより、隔壁１３から消弧性ガスを発生させ易くできる効果も得ることができる。
【００２７】
さらに上記した実施形態のように、隔壁１３の後方に延長片１８を形成しておけば、固定接触子２の立上り部５からアークが発生することを防止できる。すなわち、固定接触子２の途中の垂直な立上り部５は電界集中によりアークが発生し易い部位となるのであるが、その上部を延長片１８が覆っているため、アークが発生してもアーク熱により消弧性ガスを発生させ易くなる。
【００２８】
図６は異物進入防止部材２１を保持部材１２と一体成形した、他の実施形態を示す。このような構造とすれば、部品点数の削減および組付け工数の削減が可能となる。しかも組付け完了状態において異物進入防止部材２１を外側から確認することによって、保持部材１２の組付け忘れを防止することができる。これに対して、図１、図２のように異物進入防止部材２１と保持部材１２とが別体である場合には、組付け完了状態において異物進入防止部材２１は確認できるものの、消弧装置８の下側にある保持部材１２の組付け忘れを目視確認することは困難である。
【００２９】
上記した第１の実施形態においては、保持部材１２を消弧装置８によって位置規制したが、図７、図８に示す第２の実施形態では、保持部材１２に爪部２４を形成し、この爪部２４を固定接触子２に係止させた。爪部２４は保持部材１２の突片１７の端部に下向きに突設された弾性爪である。
【００３０】
このような構造とすれば、保持部材１２を固定接触子２に向かって押し込むことにより、固定接触子２に保持させることができる。なお第１の実施形態に示された消弧装置８による位置規制を併用してもよい。
【００３１】
図９に第３の実施形態を示す。この第３の実施形態では、筐体１の内側に突起部２５を形成し、保持部材１２を固定接触子２上に位置させたときに、突起部２５を保持部材１２の上部に当接させ、保持部材１２の上方向への位置規制を行なう。この場合にも、第１の実施形態に示された消弧装置８による位置規制を併用してもよい。
【００３２】
以上に説明したように、本発明によれば金属磁性体１１の固定接触子２への取り付け作業を容易に行なうことができる。なお、金属磁性体１１の代わりにフェライト等の非金属の磁性体を用いてもよい。
【符号の説明】
【００３３】
１  筐体
２  固定接触子
３  固定接点
４  外部接続部
５  立上り部
６  可動接触子
７  可動接点
８  消弧装置
９  消弧板
１０  側板
１１  金属磁性体
１２  保持部材
１３  隔壁
１４  挿入部
１５  保持部
１６  挿通穴
１７  突片
１８  延長片
１９  突部
２０  係合面
２１  異物進入防止部材
２２  スリット
２３  カバー
２４  爪部
２５  突起部
【図１】
2016201171.tif 000003
【図２】
2016201171.tif 000004
【図３】
2016201171.tif 000005
【図４】
2016201171.tif 000006
【図５】
2016201171.tif 000007
【図６】
2016201171.tif 000008
【図７】
2016201171.tif 000009
【図８】
2016201171.tif 000010
【図９】
2016201171.tif 000011